(57)【要約】【課題】ＰＳＩ／ＳＩ情報を有効に利用してユーザの嗜好に合致する番組を高精度で検出し、録画の取りこぼしを防止するとともに、遠隔地にある通信端末に、ユーザの嗜好に合致する番組を配信することができる映像記録装置を提供する。【解決手段】ＰＳＩ／ＳＩ情報解析部１４により、受信した番組のＰＳＩ／ＳＩ情報に含まれる情報から視聴録画キーワードを抽出し、通知番組検出部２１により、番組情報を検索して、視聴録画キーワードおよびユーザ操作により設定されたユーザキーワードの少なくともいずれか一方を含む番組を検出する。メッセージ生成部２２により、検出した番組を通知するメッセージを生成し、このメッセージをネットワーク通信制御部２７により通信端末６０に送信する。通信端末６０から返信されるメッセージに基づいて、通知番組検出部２１で検出した番組の予約録画および通信端末６０への配信を行う。【選択図】図１
2009111744.tif 000002
【特許請求の範囲】
【請求項１】
所望のデジタル放送番組を受信する受信手段と、
所定期間に放送予定の複数の番組の番組名情報、ジャンル情報、チャンネル情報、放送日時情報、および番組内容情報を含む、前記複数の番組ごとの番組情報を外部から取得する番組情報取得手段と、
前記受信手段で受信した番組の番組情報のうち少なくとも番組名情報、ジャンル情報、および番組内容情報からキーワードを抽出するキーワード抽出手段と、
前記キーワード抽出手段で抽出したキーワードを視聴録画キーワードとして保存する視聴録画キーワード保存手段と、
ユーザ操作により入力されるキーワードをユーザキーワードとして保存するユーザキーワード保存手段と、
前記番組情報から前記視聴録画キーワードおよび前記ユーザキーワードを検索し、前記視聴録画キーワードおよび前記ユーザキーワードの少なくともいずれか一方を含む番組情報を有する番組を検出する検出手段と、
前記検出手段により検出された番組である検出番組の番組名情報、チャンネル情報、および放送日時情報を含む検出番組情報を、ネットワークを介して外部の通信端末に送信する送信手段と、
前記検出番組情報を受信した前記通信端末から送信される前記検出番組の録画予約指示情報を受信した場合に、前記検出番組を録画予約する録画予約手段と、
前記録画予約手段により録画予約された前記検出番組を録画する録画手段と、
前記検出番組情報を受信した前記通信端末から、前記録画予約指示情報とともに配信予約指示情報を受信した場合に、前記記録手段に録画された前記検出番組を、前記記録手段から読み出して前記通信端末に配信する配信手段と
を備えることを特徴とする映像記録装置。
【発明の詳細な説明】
【技術分野】
【０００１】
本発明は、デジタル放送番組を録画する映像記録装置に関する。
【背景技術】
【０００２】
画像圧縮符号化方式として広く用いられているＭＰＥＧ２（Moving Picture Experts Group 2）で圧縮符号化されたデジタル信号列であるトランスポートストリーム（ＴＳ：Transport Stream）に、複数の番組（プログラム）が多重化されている場合、受信側でその複数の番組の中から目的の番組を選択して再生表示できるようにするために、ＰＳＩ（Program Specific Information）／ＳＩ（Service Information）情報がＴＳに多重化されている。
【０００３】
このＰＳＩ／ＳＩ情報は、ＩＳＯ／ＩＥＣ１３８１８−１で規格化されている伝送制御情報であり、プログラム関係テーブル（ＰＡＴ：Program Association Table）、プログラムマップテーブル（ＰＭＴ：Program Map Table）、選択情報テーブル（ＳＩＴ：Selection Information Table）などのテーブルや、その中で用途別に用いられる様々な記述子（Descriptor）から構成される。
【０００４】
上記のＰＳＩ／ＳＩ情報は、複数の番組が多重されたトランスポートストリームからなるデジタル放送信号を受信する受信装置において、所望の番組を選局するためなどに用いられている（例えば、特許文献１参照）。
【０００５】
また、予約履歴とユーザの設定した通知条件をもとにユーザが通知してほしい番組を自動的に検索して、Ｅメールでユーザに通知し、Ｅメールによる通知情報に対する返信内容に応じて、通知した番組の録画予約をする手段を有する放送受信機が開示されている（例えば、特許文献２参照）。
【特許文献１】特開２００４−１０４７５２号公報
【特許文献２】特開２００３−１３４４０９号公報
【発明の開示】
【発明が解決しようとする課題】
【０００６】
しかるに、上記特許文献１記載のデジタル放送受信装置では、ＰＳＩ／ＳＩ情報のうちＰＭＴの記述子であるデジタルコピー制御記述子の情報を使用しているが、他にもＰＳＩ／ＳＩ情報の記述子は種々存在する。例えば、コンポーネント信号の種別を示すコンポーネント記述子やプログラムのジャンルを示すコンテント記述子などがある。従来はこれらの記述子を有効に利用しておらず、その記述子の内容そのものを単に表示する程度の使用しか行っていなかった。
【０００７】
また、特許文献２では、予約履歴とユーザの設定した通知条件をもとにユーザが通知してほしい番組を検索しているが、ユーザの嗜好は変化するものであって、ユーザの嗜好に合致した番組を高精度で通知するには、予約履歴とユーザによる条件指定だけでは十分な情報は得られない。加えて、条件指定を何度も設定することは、ユーザにとって煩わしい作業である。さらに、Ｅメール返信の有無で録画予約設定を行っているが、通知を受け取った際のアクションとして録画予約するか、しないかの２択しかなく、遠隔地にいるユーザがその場で番組を視聴することはできなかった。
【０００８】
本発明は上記に鑑みてなされたもので、ＰＳＩ／ＳＩ情報を有効に利用してユーザの嗜好に合致する番組を高精度で検出し、録画の取りこぼしを防止するとともに、遠隔地にある通信端末に、ユーザの嗜好に合致する番組を配信することができる映像記録装置を提供することを目的とする。
【課題を解決するための手段】
【０００９】
上記目的を達成するため、本発明の映像記録装置は、所望のデジタル放送番組を受信する受信手段と、所定期間に放送予定の複数の番組の番組名情報、ジャンル情報、チャンネル情報、放送日時情報、および番組内容情報を含む、前記複数の番組ごとの番組情報を外部から取得する番組情報取得手段と、前記受信手段で受信した番組の番組情報のうち少なくとも番組名情報、ジャンル情報、および番組内容情報からキーワードを抽出するキーワード抽出手段と、前記キーワード抽出手段で抽出したキーワードを視聴録画キーワードとして保存する視聴録画キーワード保存手段と、ユーザ操作により入力されるキーワードをユーザキーワードとして保存するユーザキーワード保存手段と、前記番組情報から前記視聴録画キーワードおよび前記ユーザキーワードを検索し、前記視聴録画キーワードおよび前記ユーザキーワードの少なくともいずれか一方を含む番組情報を有する番組を検出する検出手段と、前記検出手段により検出された番組である検出番組の番組名情報、チャンネル情報、および放送日時情報を含む検出番組情報を、ネットワークを介して外部の通信端末に送信する送信手段と、前記検出番組情報を受信した前記通信端末から送信される前記検出番組の録画予約指示情報を受信した場合に、前記検出番組を録画予約する録画予約手段と、前記録画予約手段により録画予約された前記検出番組を録画する録画手段と、前記検出番組情報を受信した前記通信端末から、前記録画予約指示情報とともに配信予約指示情報を受信した場合に、前記記録手段に録画された前記検出番組を、前記記録手段から読み出して前記通信端末に配信する配信手段とを備えることを特徴とする。
【発明の効果】
【００１０】
本発明の映像記録装置によれば、ＰＳＩ／ＳＩ情報を有効に利用してユーザの嗜好に合致する番組を高精度で検出し、録画の取りこぼしを防止するとともに、遠隔地にある通信端末に、ユーザの嗜好に合致する番組を配信することができる。
【発明を実施するための最良の形態】
【００１１】
以下、本発明の映像記録装置を実施するための最良の形態について、図面を参照して説明する。
【００１２】
図１は本発明の実施の形態に係る映像記録装置の構成を示すブロック図である。図１に示すように本実施の形態に係る映像記録装置１０は、放送受信部１１と、番組情報取得部１２と、番組選択部１３と、ＰＳＩ／ＳＩ情報解析部１４と、辞書情報保存部１５と、映像音声再生部１６と、出力部１７と、映像音声記録処理部１８と、コンテンツ保存部１９と、ユーザキーワード設定部２０と、通知番組検出部２１と、メッセージ生成部２２と、メッセージ解析部２３と、映像音声フォーマット変換部２４と、録画・配信予約設定部２５と、保存メモリ２６と、ネットワーク通信制御部２７と、受光部２８と、制御部２９とを備え、テレビモニタ４０に接続されている。
【００１３】
また、映像記録装置１０は、ネットワーク５０への接続機能を有しており、このネットワーク５０を介して外部の通信端末６０と通信が可能である。
【００１４】
放送受信部１１は、地上デジタル放送やＣＳ（Communication Satellite）放送などのデジタル放送波を受信し、ＭＰＥＧ２−ＴＳ形式のデジタル信号を出力する。
【００１５】
番組情報取得部１２は、放送受信部１１から入力されるＭＰＥＧ２−ＴＳに含まれるＰＳＩ／ＳＩ情報から、所定期間に放送予定の複数の番組の番組名情報、ジャンル情報、チャンネル情報、放送日時情報、番組内容情報等を含む番組情報を取得する。なお、番組情報は、インターネットを介してインターネットサイトから取得する等してもよい。
【００１６】
番組選択部１３は、放送受信部１１から入力されるＭＰＥＧ２−ＴＳから所望の番組を選択し、この選択した番組の映像データ、音声データ、およびＰＳＩ／ＳＩ情報を出力する。
【００１７】
ＰＳＩ／ＳＩ情報解析部１４は、番組選択部１３で選択された番組のＰＳＩ／ＳＩ情報に含まれる当該番組の番組名情報、ジャンル情報、および番組内容情報を含む受信番組情報から、後述する辞書情報保存部１５に保存されている辞書情報を参照してキーワードを抽出し、この抽出したキーワードのリストを、視聴録画キーワードリスト２６Ａとして保存メモリ２６に保存する。
【００１８】
辞書情報保存部１５は、ＰＳＩ／ＳＩ情報解析部１４で参照するための辞書情報を保存する。辞書情報は、複数のキーワードを含んで構成され、ネットワーク５０を介して外部から取得されるものである。また、辞書情報保存部１５は、所定の期間で自動的に、またはユーザ操作に応じてネットワーク５０と接続して、辞書情報を更新する。
【００１９】
映像音声再生部１６は、番組選択部１３が選択した番組の映像データおよび音声データをデコードし、このデコードした映像データおよび音声データを出力部１７に供給する。
【００２０】
出力部１７は、映像音声再生部１６でデコードされた映像データおよび音声データからテレビ出力信号を生成し、これを外部のテレビモニタ４０に出力する。
【００２１】
映像音声記録処理部１８は、番組の録画時において、番組選択部１３が選択した番組の映像データおよび音声データをコンテンツ保存部１９に記録する処理を行う。
【００２２】
コンテンツ保存部１９は、ハードディスク等のランダムアクセス可能な大容量の記録媒体からなり、映像音声記録処理部１８から供給される番組の映像データおよび音声データを保存する。
【００２３】
ユーザキーワード設定部２０は、ユーザ操作に応じて入力されるキーワードをユーザキーワードとして設定し、このキーワードのリストをユーザキーワードリスト２６Ｂとして保存メモリ２６に保存する。
【００２４】
通知番組検出部２１は、番組情報取得部１２で取得した番組情報から、視聴録画キーワードリスト２６Ａに含まれる視聴録画キーワード、およびユーザキーワードリスト２６Ｂに含まれるユーザキーワードを検索し、視聴録画キーワードおよびユーザキーワードの少なくともいずれかを含む番組情報を有する番組を検出する。また、通知番組検出部２１は、検出した番組の番組情報のうち、少なくとも当該番組の番組名情報、チャンネル情報、および放送日時情報を検出番組情報として通信端末６０に通知した番組のリストである通知済み番組リスト２６Ｃを生成し、これを保存メモリ２６に保存する。
【００２５】
メッセージ生成部２２は、通知番組検出部２１で検出された番組の検出番組情報を通信端末６０に送信するためのメッセージを生成する。
【００２６】
メッセージ解析部２３は、メッセージ生成部２２で生成され、映像記録装置１０から送信されたメッセージをネットワーク５０を介して受信した通信端末６０から返信されるメッセージを解析する。
【００２７】
映像音声フォーマット変換部２４は、通信端末６０に配信する番組の映像データおよび音声データを、通信端末６０のスペックに適した圧縮形式に再エンコードする。
【００２８】
録画・配信予約設定部２５は、録画予約する番組の番組名情報、チャンネル情報、放送日時情報を含む録画予約情報を生成するとともに、録画予約する番組を録画後に通信端末６０に配信することを示す配信予約情報を生成し、この録画予約情報および配信予約情報を録画・配信予約情報２６Ｄとして保存メモリ２６に保存する。
【００２９】
保存メモリ２６は、上述の視聴録画キーワードリスト２６Ａ、ユーザキーワードリスト２６Ｂ、通知済み番組リスト２６Ｃ、録画・配信予約情報２６Ｄ、および後述する通信端末情報２６Ｅなどの各種情報を保存する。
【００３０】
ネットワーク通信制御部２７は、ネットワーク５０と接続し、メッセージの送受信や映像データ、音声データの送受信を行う。
【００３１】
受光部２８は、リモコン（図示せず）より出力される例えば赤外線を受光し、この赤外線による伝達信号を操作信号に適宜変換して制御部２９へ出力する。
【００３２】
制御部２９は、映像記録装置１０に設けられた各部を統括的に制御する。
【００３３】
本実施の形態に係る映像記録装置１０においては、遠隔地の通信端末６０と通信をするために、通信相手として通信端末６０を予め設定しておく必要がある。設定した情報は通信端末情報２６Ｅとして保存メモリ２６に保存される。この通信端末情報２６Ｅは、メッセージの送信や映像のフォーマット変換時に参照される。
【００３４】
通信相手の設定処理について説明する。ユーザのリモコン操作により通信相手の設定指示を示す信号が受光部２８を介して入力されると、制御部２９は、通信端末情報設定画面を映像音声再生部１６に生成させ、出力部１７によりテレビモニタ４０に表示させる。
【００３５】
ここで表示される通信端末情報設定画面の一例を図２に示す。図２において、通信端末情報設定画面３０には、端末タイプを入力するための端末タイプ入力欄３１と、映像フォーマットタイプを入力するための映像フォーマットタイプ入力欄３２と、通信端末６０のメールアドレスを入力するためのメールアドレス入力欄３３と、設定を実行するための「ＯＫ」ボタン３４と、通信端末情報設定画面３０を終了するための「戻る」ボタン３５とが表示される。
【００３６】
図２に示すように、設定項目としては、通信端末６０の端末タイプ、配信映像の映像フォーマットタイプ、本実施の形態ではメッセージの送受信に一例として電子メールを用いるので、通信端末６０のメールアドレスを設定する。
【００３７】
通信端末のタイプは、携帯電話、パーソナルコンピュータ（ＰＣ）など、ネットワークに接続できてデータの送受信ができる機器であればどのようなものでもよい。配信映像のフォーマットとしては、ここでは低ビットレートで高品質な画像を提供できるＨ．２６４を例として設定しているが、ネットワーク５０の速度や通信端末６０のスペックに応じて変更可能とする。したがって、映像記録装置１０は、映像音声フォーマット変換部２４に各種コーデックを内蔵している。
【００３８】
通信端末情報設定画面３０の表示時において、ユーザのリモコン操作により端末タイプ入力欄３１、または映像フォーマットタイプ入力欄３２、またはメールアドレス入力欄３３が選択されると、制御部２９は、図３に示すような、文字入力ウィンドウ３６をポップアップ画面として表示するように映像音声再生部１６を制御する。
【００３９】
そして、ユーザは、文字入力ウィンドウ３６から文字を順次選択することにより、それぞれの入力欄に応じた設定内容を示す文字列を入力する。ユーザのリモコン操作により設定内容を示す文字列が入力され、「ＯＫ」ボタン３４が選択されると、制御部２９は、入力された文字列が示す設定内容を通信端末情報２６Ｅとして保存メモリ２６に保存する。
【００４０】
次に、映像記録装置１０において、ユーザの嗜好を学習する手順について、図４に示すフローチャートを参照して説明する。なお、以下の一連の処理は、特に記述がない限りは、制御部２９からの制御にしたがって実行される。
【００４１】
まず、ステップＳ１０において、放送受信部１１でデジタル放送波を受信すると、ステップＳ２０において、番組選択部１３は、放送受信部１１から入力されるＭＰＥＧ２−ＴＳから所望の番組を選択し、この選択した番組の映像データ、音声データ、およびＰＳＩ／ＳＩ情報を出力する。
【００４２】
選択された番組の視聴を行う場合は、番組の映像データ、音声データはＰＳＩ／ＳＩ情報解析部１４を介して映像音声再生部１６に入力され、映像音声再生部１６でデコードされた後、出力部１７を介してテレビモニタ４０に出力される。一方、選択された番組の録画を行う場合は、番組の映像データ、音声データはＰＳＩ／ＳＩ情報解析部１４を介して映像音声記録処理部１８に入力され、映像音声記録処理部１８によりコンテンツ保存部１９に記録される。
【００４３】
次いで、ステップＳ３０において、ＰＳＩ／ＳＩ情報解析部１４は、番組選択部１３からのＰＳＩ／ＳＩ情報の解析が初回であるか、またはＰＳＩ／ＳＩ情報が、前回取得したＰＳＩ／ＳＩ情報から変更されたか否かを判断する。ＰＳＩ／ＳＩ情報の解析が初回である、またはＰＳＩ／ＳＩ情報が変更されている場合（ステップＳ３０：ＹＥＳ）、ステップＳ４０に進む。ＰＳＩ／ＳＩ情報の解析が初回でなく、かつＰＳＩ／ＳＩ情報が変更されていない場合（ステップＳ３０：ＮＯ）、ステップＳ３０に戻る。
【００４４】
ステップＳ４０において、ＰＳＩ／ＳＩ情報解析部１４は、番組選択部１３で選択された番組のＰＳＩ／ＳＩ情報を解析し、当該番組の番組名情報、ジャンル情報、および番組内容情報を含む受信番組情報を取得する。
【００４５】
次いで、ステップＳ５０において、ＰＳＩ／ＳＩ情報解析部１４は、番組選択部１３で選択された番組を録画しているか、または所定時間（例えば１５分）以上再生（視聴）しているか否かを判断する。選択された番組を録画している、または所定時間以上再生している場合、（ステップＳ５０：ＹＥＳ）、ステップＳ６０に進む。選択された番組を録画しておらず、かつ所定時間以上再生していない場合（ステップＳ５０：ＮＯ）、ステップＳ３０に戻る。
【００４６】
ステップＳ６０において、ＰＳＩ／ＳＩ情報解析部１４は、辞書情報保存部１５を参照して、受信番組情報から辞書情報に含まれるキーワードを検索する。
【００４７】
次いで、ステップＳ７０において、ＰＳＩ／ＳＩ情報解析部１４は、受信番組情報の中に、辞書情報に含まれるキーワードと一致するキーワードがあったか否かを判断する。一致するキーワードがあった場合（ステップＳ７０：ＹＥＳ）、ステップＳ８０に進み、一致するキーワードがなかった場合（ステップＳ７０：ＮＯ）、ステップＳ３０に戻る。
【００４８】
ステップＳ８０において、ＰＳＩ／ＳＩ情報解析部１４は、一致したキーワードを抽出し、ステップＳ９０において、ＰＳＩ／ＳＩ情報解析部１４は、ステップＳ８０で抽出したキーワードを、視聴録画キーワードとして保存メモリ２６の視聴録画キーワードリスト２６Ａに追加して保存する。
【００４９】
上記のような手順により、受信番組情報から抽出した視聴録画キーワードをユーザの嗜好を示すキーワードとして保存するが、ユーザ操作により、ユーザの嗜好を示すキーワードを設定することもできる。
【００５０】
ユーザ操作によりキーワードを設定する処理について説明する。ユーザのリモコン操作によりキーワードの設定指示を示す信号が受光部２８を介して入力されると、制御部２９は、キーワード設定画面を映像音声再生部１６に生成させ、出力部１７によりテレビモニタ４０に表示させる。
【００５１】
ここで表示されるキーワード設定画面の一例を図５に示す。図５において、キーワード設定画面７０には、ユーザにより設定されたキーワードであるユーザキーワードを一覧表示するユーザキーワード表示欄７１と、ユーザキーワードの削除を指示するための「削除」ボタン７２と、ユーザキーワードの修正を指示するための「修正」ボタン７３と、ユーザキーワードの追加を指示するための「追加」ボタン７４と、キーワード設定画面７０を終了するための「ＯＫ」ボタン７５とが表示される。
【００５２】
キーワード設定画面７０の表示時において、ユーザのリモコン操作により「修正」ボタン７３、または「追加」ボタン７４が選択されると、制御部２９は、図６に示すような、文字入力ウィンドウ７６をポップアップ画面として表示するように映像音声再生部１６を制御する。
【００５３】
そして、ユーザはリモコン操作により、修正または追加するユーザキーワードが入力され、「ＯＫ」ボタン７５が選択されると、制御部２９は、入力されたユーザキーワードをユーザキーワードリスト２６Ｂに追加して保存する。また、ユーザキーワード表示欄７１から１つのユーザキーワードが選択され、「削除」ボタン７２が選択されると、制御部２９は、選択されたユーザキーワードをユーザキーワードリスト２６Ｂから削除する。
【００５４】
次に、ユーザの嗜好に合致する番組のうち、録画予約設定忘れと思われる番組を、遠隔地の通信端末６０に通知する手順について、図７に示すフローチャートを参照して説明する。なお、以下の一連の処理は、特に記述がない限りは、制御部２９からの制御にしたがって実行される。
【００５５】
まず、ステップＳ１１０において、放送受信部１１でデジタル放送波を受信すると、ステップＳ１２０において、番組情報取得部１２は、放送受信部１１からのＭＰＥＧ２−ＴＳに含まれるＰＳＩ／ＳＩ情報から、所定期間に放送予定の複数の番組の番組名情報、ジャンル情報、チャンネル情報、放送日時情報、番組内容情報等を含む番組情報を取得する。
【００５６】
次いで、ステップＳ１３０において、通知番組検出部２１は、番組情報取得部１２で取得した番組情報のうち、取得した時刻から２４時間以内に放送予定の番組に関して、前回取得した番組情報から変更されたか否かを判断する。ここで、放送当日となっても録画予約設定をしていなければユーザの録画予約設定忘れと判断するとして、番組情報の変更判断の対象を２４時間以内に放送予定の番組とした。
【００５７】
番組情報が変更された場合（ステップＳ１３０：ＹＥＳ）、ステップＳ１４０に進み、番組情報が変更されていない場合（ステップＳ１３０：ＮＯ）、ステップＳ１２０に戻る。
【００５８】
ステップＳ１４０において、通知番組検出部２１は、番組情報取得部１２で取得した番組情報から、視聴録画キーワードリスト２６Ａに含まれる視聴録画キーワード、およびユーザキーワードリスト２６Ｂに含まれるユーザキーワードを検索し、視聴録画キーワードおよびユーザキーワードの少なくともいずれかを含む番組があるか否かを判断する。視聴録画キーワードおよびユーザキーワードの少なくともいずれかを含む番組がある場合（ステップＳ１４０：ＹＥＳ）、ステップＳ１５０に進み、視聴録画キーワードおよびユーザキーワードの少なくともいずれかを含む番組がない場合（ステップＳ１４０：ＮＯ）、ステップＳ１２０に戻る。
【００５９】
ステップＳ１５０において、通知番組検出部２１は、録画・配信予約情報２６Ｄを参照して、ステップＳ１４０で検出された、視聴録画キーワードおよびユーザキーワードの少なくともいずれかを含む番組である検出番組が録画予約設定されているか否かを判断する。録画予約設定されている場合（ステップＳ１５０：ＹＥＳ）、ステップＳ１２０に戻り、録画予約設定されていない場合（ステップＳ１５０：ＮＯ）、ステップＳ１６０に進む。
【００６０】
ステップＳ１６０において、通知番組検出部２１は、通知済み番組リスト２６Ｃを参照して、ステップＳ１４０で検出された検出番組の番組名情報、チャンネル情報、および放送日時情報を含む検出番組情報を通信端末６０に通知済みか否かを判断する。通知済みの場合（ステップＳ１６０：ＹＥＳ）、ステップＳ１２０に戻り、通知済みでない場合（ステップＳ１６０：ＮＯ）、ステップＳ１７０に進む。
【００６１】
ステップＳ１７０において、通知番組検出部２１は、ステップＳ１４０で検出された検出番組を通知済み番組リスト２６Ｃに追加して更新する。
【００６２】
次いで、ステップＳ１８０において、メッセージ生成部２２は、通知番組検出部２１から検出番組情報を取得し、この検出番組情報を通信端末６０に送信するためのメッセージを生成する。
【００６３】
そして、ステップＳ１９０において、ネットワーク通信制御部２７は、メッセージ生成部２２で生成されたメッセージを、ネットワーク５０を介して通信端末６０に送信する。
【００６４】
映像記録装置１０から通信端末６０に送信されるメッセージの一例を図８に示す。図８には、メッセージとして電子メールを使用する例を示しているが、メッセージの形式はこれに限らない。
【００６５】
図８において、通信端末６０に送信されるメッセージには、検出番組の番組名情報、チャンネル情報、および放送日時情報を含む検出番組情報８１と、ユーザに対して返信操作を指示するための指示情報８２と、返信用フォーマット８３とが含まれる。
【００６６】
通信端末６０において図８に示すメッセージを受信すると、ユーザは指示情報８２に従い、返信用フォーマット８３に対する入力操作を行う。これによりユーザは、録画予約をする、録画予約および配信予約をする、録画予約も配信予約もしない、の３通りの指示の中から、映像記録装置１０に対する指示を選択することができる。通信端末６０は、ユーザ操作に応じて、図９に示すような、指示が入力された返信用フォーマット８３を含むメッセージを生成し、これを映像記録装置１０に送信する。
【００６７】
次に、通信端末６０から返信されるメッセージを受信した映像記録装置１０の動作について、図１０に示すフローチャートを参照して説明する。なお、以下の一連の処理は、特に記述がない限りは、制御部２９からの制御にしたがって実行される。
【００６８】
まず、ステップＳ２１０において、ネットワーク通信制御部２７は、ネットワーク５０を介して通信端末６０からのメッセージを受信すると、受信したメッセージをメッセージ解析部２３に出力する。
【００６９】
次いで、ステップＳ２２０において、メッセージ解析部２３は、通信端末６０からのメッセージを解析する。
【００７０】
次いで、ステップＳ２３０において、メッセージ解析部２３は、メッセージの解析結果に基づいて、検出番組の録画予約指示を示す情報を受信したか否かを判断する。録画予約指示を示す情報を受信した場合（ステップＳ２３０：ＹＥＳ）、ステップＳ２４０に進み、録画予約指示を示す情報を受信しなかった場合（ステップＳ２３０：ＮＯ）、処理を終了する。
【００７１】
ステップＳ２４０において、録画・配信予約設定部２５は、メッセージ解析部２３から録画予約指示を示す情報を受け取ると、検出番組の番組名情報、チャンネル情報、放送日時情報を含む録画予約情報を生成し、これを録画・配信予約情報２６Ｄとして保存メモリ２６に保存することにより、検出番組の録画予約を設定する。
【００７２】
次いで、ステップＳ２５０において、メッセージ解析部２３は、メッセージの解析結果に基づいて、検出番組の配信予約指示を示す情報を受信したか否かを判断する。配信予約指示を示す情報を受信した場合（ステップＳ２５０：ＹＥＳ）、ステップＳ２６０に進み、配信予約指示を示す情報を受信しなかった場合（ステップＳ２５０：ＮＯ）、処理を終了する。
【００７３】
ステップＳ２６０において、録画・配信予約設定部２５は、メッセージ解析部２３から配信予約指示を示す情報を受け取ると、検出番組を録画後に通信端末６０に配信することを示す配信予約情報を生成し、これを録画・配信予約情報２６Ｄとして保存メモリ２６に保存することにより、検出番組の配信予約を設定する。
【００７４】
録画予約設定された番組の放送開始時刻になると、番組選択部１３は、制御部２９の制御により、当該番組を選択し、この選択した番組の映像データ、音声データ、およびＰＳＩ／ＳＩ情報を出力する。
【００７５】
ＰＳＩ／ＳＩ情報解析部１４は、前述のようにＰＳＩ／ＳＩ情報を解析し、キーワード検出処理を行う。映像音声記録処理部１８は、ＰＳＩ／ＳＩ情報解析部１４を介して入力される映像データ、音声データをコンテンツ保存部１９に記録する。
【００７６】
録画された番組が配信予約設定されている場合、映像音声フォーマット変換部２４は、コンテンツ保存部１９から当該番組の映像データ、音声データを読み出し、通信端末情報２６Ｅを参照して、通信端末６０のスペックに適した圧縮形式に再エンコードする。
【００７７】
そして、ネットワーク通信制御部２７は、映像音声フォーマット変換部２４で再エンコードされた映像データ、音声データを、ネットワーク５０を介して通信端末６０に配信する。
【００７８】
上記説明のように本実施の形態によれば、録画中および視聴中の番組のＰＳＩ／ＳＩ情報を利用してユーザの嗜好に合致する番組を高精度で検出し、検出番組情報を遠隔地にある通信端末６０に送信し、ユーザ操作に応じて通信端末６０から送信される録画予約指示を示す情報により録画予約設定することで、ユーザの嗜好に合致する番組の録画の取りこぼしを防止することができる。また、ユーザ操作に応じて通信端末６０から送信される配信予約指示を示す情報に基づいて、ユーザの嗜好に合致する番組を通信端末６０に配信することができ、ユーザは遠隔地に居ながらにして、好みの番組を視聴することができる。
【図面の簡単な説明】
【００７９】
【図１】本発明の実施の形態に係る映像記録装置の構成を示すブロック図である。
【図２】通信端末情報設定画面の一例を示す図である。
【図３】文字入力ウィンドウが表示された通信端末情報設定画面の一例を示す図である。
【図４】図１に示す映像記録装置においてユーザの嗜好を学習する手順を示すフローチャートである。
【図５】キーワード設定画面の一例を示す図である。
【図６】文字入力ウィンドウが表示されたキーワード設定画面の一例を示す図である。
【図７】図１に示す映像記録装置においてユーザの嗜好に合致する番組を通信端末に通知する手順を示すフローチャートである。
【図８】図１に示す映像記録装置から送信されるメッセージの一例を示す図である。
【図９】通信端末から送信されるメッセージの一例を示す図である。
【図１０】通信端末からのメッセージを受信した際の図１に示す映像記録装置の動作を示すフローチャートである。
【符号の説明】
【００８０】
１０  映像記録装置
１１  放送受信部
１２  番組情報取得部
１３  番組選択部
１４  ＰＳＩ／ＳＩ情報解析部
１５  辞書情報保存部
１６  映像音声再生部
１７  出力部
１８  映像音声記録処理部
１９  コンテンツ保存部
２０  ユーザキーワード設定部
２１  通知番組検出部
２２  メッセージ生成部
２３  メッセージ解析部
２４  映像音声フォーマット変換部
２５  録画・配信予約設定部
２６  保存メモリ
２７  ネットワーク通信制御部
２８  受光部
２９  制御部
４０  テレビモニタ
５０  ネットワーク
６０  通信端末
【図１】
2009111744.tif 000003
【図２】
2009111744.tif 000004
【図３】
2009111744.tif 000005
【図４】
2009111744.tif 000006
【図５】
2009111744.tif 000007
【図６】
2009111744.tif 000008
【図７】
2009111744.tif 000009
【図８】
2009111744.tif 000010
【図９】
2009111744.tif 000011
【図１０】
2009111744.tif 000012